(57)【要約】【課題】制限情報が付加された制限コンテンツデータを気に入ったユーザが、簡易な操作で、また迅速に制限情報が付加されていないコンテンツデータを容易に受信することが可能なコンテンツデータ受信方法を提供する。【解決手段】制限音楽データ、並びに、制限音楽データの制限情報が付加されていない音楽データを記憶するコンピュータのアドレス及び制限音楽データの曲名または歌手名を含む付属情報をサーバコンピュータ１から携帯電話機２へ送信する。携帯電話機２は、送信された制限音楽データ及び付属情報を受信し、付属情報に基づきアドレス先へアクセスするための曲名または歌手名を示すハイパーリンクを生成する。音楽データの受信を希望する場合、このハイパーリンクをクリックする。携帯電話機２は、アドレス先のサーバコンピュータ１へ制限情報が付加されていない音楽データの受信を要求する。【選択図】図１
2007328106.tif 000002
【特許請求の範囲】
【請求項１】
通信網を介して接続されるコンピュータからコンテンツデータを携帯端末機にて受信するコンテンツデータ受信方法において、
前記コンピュータから前記携帯端末機へコンテンツデータの記憶に関する制限情報が付加された制限コンテンツデータ、並びに、制限コンテンツデータの制限情報が付加されていないコンテンツデータを記憶するコンピュータのアドレス及び前記制限コンテンツデータのタイトルまたはアーティスト名を含む付属情報を送信するステップと、
該ステップにより送信された付属情報に基づき、前記アドレスへアクセスするための前記タイトルまたはアーティスト名を示すハイパーリンクを前記携帯端末機の制御部により生成するステップと、
該ステップにより生成したハイパーリンクを表示部へ表示するステップと、
前記表示部に表示されたハイパーリンクの選択を入力部から受け付けるステップと、
該ステップによりハイパーリンクの選択を受け付けた場合に、前記アドレス先のコンピュータから前記携帯端末機へ制限情報が付加されていないコンテンツデータを送信するステップと
を備えることを特徴とするコンテンツデータ受信方法。
【請求項２】
通信網を介して接続されるコンピュータからコンテンツデータを受信する携帯端末機において、
前記コンピュータからコンテンツデータの記憶に関する制限情報が付加された制限コンテンツデータ、並びに、制限コンテンツデータの制限情報が付加されていないコンテンツデータを記憶するコンピュータのアドレス及び前記制限コンテンツデータのタイトルまたはアーティスト名を含む付属情報を受信する制限コンテンツデータ受信手段と、
該制限コンテンツデータ受信手段により受信した付属情報に基づき、前記アドレスへアクセスするための前記タイトルまたはアーティスト名を示すハイパーリンクを生成するハイパーリンク生成手段と、
該ハイパーリンク生成手段により生成したハイパーリンクを表示部へ表示する表示手段と、
前記表示部に表示されたハイパーリンクの選択を入力部から受け付ける受け付け手段と、
該受け付け手段によりハイパーリンクの選択を受け付けた場合に、前記アドレス先のコンピュータへ制限情報が付加されていないコンテンツデータの受信を要求するコンテンツデータ要求手段と
を備えることを特徴とする携帯端末機。
【請求項３】
前記制限コンテンツデータ受信手段は、前記コンピュータからコンテンツデータの記憶に関する制限情報が付加された制限コンテンツデータ、制限コンテンツデータの制限情報が付加されていないコンテンツデータを記憶するコンピュータのアドレス及び前記制限コンテンツデータのタイトルまたはアーティスト名を含む付属情報、並びに、制限コンテンツデータに関連する関連コンテンツデータを記憶するコンピュータのアドレスを含む補助付属情報を受信するよう構成してあり、
該制限コンテンツデータ受信手段により受信した補助付属情報を表示部へ表示する補助表示手段と、
前記表示部に表示された補助付属情報の選択を入力部から受け付ける補助受け付け手段と、
該補助受け付け手段により補助付属情報の選択を受け付けた場合に、前記アドレス先のコンピュータへ関連コンテンツデータの受信を要求する関連コンテンツデータ要求手段と
をさらに備えることを特徴とする請求項２に記載の携帯端末機。
【請求項４】
請求項２または３に記載の携帯端末機及び該携帯端末機に通信網を介して接続されるコンピュータからなるコンテンツデータ送信システムにおいて、
前記コンピュータは、新たな制限コンテンツデータが記憶部に記憶された場合に、前記制限コンテンツデータに関する更新情報を前記携帯端末機へ送信する更新情報送信手段を備えることを特徴とするコンテンツデータ送信システム。
【請求項５】
請求項２または３に記載の携帯端末機及び該携帯端末機に通信網を介して接続されるコンピュータからなるコンテンツデータ送信システムにおいて、
前記コンピュータは、
前記携帯端末機から制限コンテンツデータを検索するための検索情報を受信する検索情報受信手段と、
新たな制限コンテンツデータ及び該制限コンテンツデータの付属情報が記憶部に記憶された場合に、該記憶された付属情報が、前記受信した検索情報に合致するか否かを判断する判断手段と、
該判断手段により、前記付属情報が、前記検索情報に合致すると判断した場合に、前記制限コンテンツデータの更新情報を前記携帯端末機へ送信する更新情報送信手段を備えることを特徴とするコンテンツデータ送信システム。
【請求項６】
通信網を介して接続されるコンピュータから受信したコンテンツデータをコンピュータにより処理するためのプログラムにおいて、
コンピュータに、
コンテンツデータの記憶に関する制限情報が付加された制限コンテンツデータ、並びに、制限コンテンツデータの制限情報が付加されていないコンテンツデータを記憶するコンピュータのアドレス及び前記制限コンテンツデータのタイトルまたはアーティスト名を含む付属情報を受信するステップと、
該ステップにより受信した付属情報に基づき、前記アドレスへアクセスするための前記タイトルまたはアーティスト名を示すハイパーリンクを生成するステップと、
該ステップにより生成したハイパーリンクを表示部へ表示するステップと、
前記表示部に表示されたハイパーリンクの選択を入力部から受け付けるステップと、
該ステップによりハイパーリンクの選択を受け付けた場合に、前記アドレス先のコンピュータから制限情報が付加されていないコンテンツデータの受信を要求するステップと
を実行させるためのプログラム。
【発明の詳細な説明】
【技術分野】
【０００１】
本発明は、通信網を介して接続されるコンピュータからコンテンツデータを携帯端末機にて受信するコンテンツデータ受信方法、携帯端末機、コンテンツデータ送信システム、携帯端末機を機能させるためのプログラムに関する。
【背景技術】
【０００２】
近年、携帯電話機等の携帯端末機へ音楽データ等のコンテンツデータを送信するサービスが盛んに行われている。ユーザは、ネットワークを通じて音楽データをダウンロードし、これを再生して楽しむことができる。また、このダウンロードした音楽データを携帯電話機の着信音に設定する等、多彩な用途で楽曲を楽しむことができる。
【０００３】
また、ユーザによっては音楽データの購入に際し、視聴を希望する場合があるため、視聴回数または視聴時期等の制限を設定したうえで、視聴用の音楽データを送信する技術が開示されている（例えば、特許文献１乃至４）。
【特許文献１】特開２０００−３３２７０６号公報
【特許文献２】特開２００１−３５０４７９号公報
【特許文献３】特開２００２−２４１８４号公報
【特許文献４】特開２００３−１２２７７９号公報
【発明の開示】
【発明が解決しようとする課題】
【０００４】
しかしながら、制限情報が付加されたコンテンツデータを気に入ったユーザが、制限情報が付加されていないコンテンツデータを受信する場合、特許文献１乃至４に記載の技術では、制限情報が付加されていないコンテンツデータを容易に受信するための仕組みが構築されていないという問題があった。特に、携帯電話機等の携帯端末機においては、ボタン等の入力部及び表示画面が小さいため、より簡易かつ効率的な仕組みにより、制限情報が付加されていないコンテンツデータの受信を促進する必要があった。
【０００５】
また、特許文献１乃至４に記載の技術は再生の回数等の制限処理に拘泥するあまり、例えばアーティストのインタビュー、またはライブ演奏データ等の関連コンテンツデータを満足に提供できていないという問題があった。
【０００６】
また、このような音楽データの送信を受けるユーザは新曲のリリースに敏感であり、新たな音楽データの情報を適切なタイミングで提供する必要もあった。
【０００７】
本発明は斯かる事情に鑑みてなされたものであり、その目的は、制限情報が付加された制限コンテンツデータに加えて制限情報が付加されていないコンテンツデータを記憶するコンピュータのアドレス、並びにタイトルまたはアーティスト名を付属情報として提供し、コンテンツデータをユーザが容易に受信できるよう構成することにより、制限情報が付加された制限コンテンツデータを気に入ったユーザが、簡易な操作で、また迅速に制限情報が付加されていないコンテンツデータを容易に受信することが可能な、コンテンツデータ受信方法、携帯端末機、コンテンツデータ送信システム、携帯端末機を機能させるためのプログラムを提供することにある。
【０００８】
本発明の他の目的は、制限コンテンツデータに関連する関連コンテンツデータを記憶するコンピュータのアドレスを含む補助付属情報をさらに提供して、関連コンテンツデータの受信を可能とすることにより、コンテンツデータだけではなく、例えばアーティストのインタビュー、ライブ演奏及びこれらの動画または静止画等の関連コンテンツデータをユーザに選択容易に提供することが可能な携帯端末機を提供することにある。
【０００９】
本発明の他の目的は、新たな制限コンテンツデータがコンピュータの記憶部に記憶された場合に、制限コンテンツデータに関する更新情報を携帯端末機へ送信することにより、最新の情報をユーザに最適なタイミングで提供することが可能なコンテンツデータ送信システムを提供することにある。
【００１０】
本発明の他の目的は、制限コンテンツデータを検索するための検索情報を予め受信しておき、新たな制限コンテンツデータ及び該制限コンテンツデータの付属情報が記憶部に記憶された場合に、付属情報が、受信した検索情報に合致するか否かを判断し、合致すると判断した場合に、制限コンテンツデータの更新情報を提供することにより、ユーザが真に希望する更新情報を適切なタイミングで提供することが可能なコンテンツデータ送信システムを提供することにある。
【課題を解決するための手段】
【００１１】
本発明にかかるコンテンツデータ受信方法は、通信網を介して接続されるコンピュータからコンテンツデータを携帯端末機にて受信するコンテンツデータ受信方法において、前記コンピュータから前記携帯端末機へコンテンツデータの記憶に関する制限情報が付加された制限コンテンツデータ、並びに、制限コンテンツデータの制限情報が付加されていないコンテンツデータを記憶するコンピュータのアドレス及び前記制限コンテンツデータのタイトルまたはアーティスト名を含む付属情報を送信するステップと、該ステップにより送信された付属情報に基づき、前記アドレスへアクセスするための前記タイトルまたはアーティスト名を示すハイパーリンクを前記携帯端末機の制御部により生成するステップと、該ステップにより生成したハイパーリンクを表示部へ表示するステップと、前記表示部に表示されたハイパーリンクの選択を入力部から受け付けるステップと、該ステップによりハイパーリンクの選択を受け付けた場合に、前記アドレス先のコンピュータから前記携帯端末機へ制限情報が付加されていないコンテンツデータを送信するステップとを備えることを特徴とする。
【００１２】
本発明にかかる携帯端末機は、通信網を介して接続されるコンピュータからコンテンツデータを受信する携帯端末機において、前記コンピュータからコンテンツデータの記憶に関する制限情報が付加された制限コンテンツデータ、並びに、制限コンテンツデータの制限情報が付加されていないコンテンツデータを記憶するコンピュータのアドレス及び前記制限コンテンツデータのタイトルまたはアーティスト名を含む付属情報を受信する制限コンテンツデータ受信手段と、該制限コンテンツデータ受信手段により受信した付属情報に基づき、前記アドレスへアクセスするための前記タイトルまたはアーティスト名を示すハイパーリンクを生成するハイパーリンク生成手段と、該ハイパーリンク生成手段により生成したハイパーリンクを表示部へ表示する表示手段と、前記表示部に表示されたハイパーリンクの選択を入力部から受け付ける受け付け手段と、該受け付け手段によりハイパーリンクの選択を受け付けた場合に、前記アドレス先のコンピュータへ制限情報が付加されていないコンテンツデータの受信を要求するコンテンツデータ要求手段とを備えることを特徴とする。
【００１３】
本発明にかかる携帯端末機は、前記制限コンテンツデータ受信手段は、前記コンピュータからコンテンツデータの記憶に関する制限情報が付加された制限コンテンツデータ、制限コンテンツデータの制限情報が付加されていないコンテンツデータを記憶するコンピュータのアドレス及び前記制限コンテンツデータのタイトルまたはアーティスト名を含む付属情報、並びに、制限コンテンツデータに関連する関連コンテンツデータを記憶するコンピュータのアドレスを含む補助付属情報を受信するよう構成してあり、該制限コンテンツデータ受信手段により受信した補助付属情報を表示部へ表示する補助表示手段と、前記表示部に表示された補助付属情報の選択を入力部から受け付ける補助受け付け手段と、該補助受け付け手段により補助付属情報の選択を受け付けた場合に、前記アドレス先のコンピュータへ関連コンテンツデータの受信を要求する関連コンテンツデータ要求手段とをさらに備えることを特徴とする。
【００１４】
本発明にかかるコンテンツデータ送信システムは、上述した携帯端末機及び該携帯端末機に通信網を介して接続されるコンピュータからなるコンテンツデータ送信システムにおいて、前記コンピュータは、新たな制限コンテンツデータが記憶部に記憶された場合に、前記制限コンテンツデータに関する更新情報を前記携帯端末機へ送信する更新情報送信手段を備えることを特徴とする。
【００１５】
本発明にかかるコンテンツデータ送信システムは、上述した携帯端末機及び該携帯端末機に通信網を介して接続されるコンピュータからなるコンテンツデータ送信システムにおいて、前記コンピュータは、前記携帯端末機から制限コンテンツデータを検索するための検索情報を受信する検索情報受信手段と、新たな制限コンテンツデータ及び該制限コンテンツデータの付属情報が記憶部に記憶された場合に、該記憶された付属情報が、前記受信した検索情報に合致するか否かを判断する判断手段と、該判断手段により、前記付属情報が、前記検索情報に合致すると判断した場合に、前記制限コンテンツデータの更新情報を前記携帯端末機へ送信する更新情報送信手段を備えることを特徴とする。
【００１６】
本発明にかかるプログラムは、通信網を介して接続されるコンピュータから受信したコンテンツデータをコンピュータにより処理するためのプログラムにおいて、コンピュータに、コンテンツデータの記憶に関する制限情報が付加された制限コンテンツデータ、並びに、制限コンテンツデータの制限情報が付加されていないコンテンツデータを記憶するコンピュータのアドレス及び前記制限コンテンツデータのタイトルまたはアーティスト名を含む付属情報を受信するステップと、該ステップにより受信した付属情報に基づき、前記アドレスへアクセスするための前記タイトルまたはアーティスト名を示すハイパーリンクを生成するステップと、該ステップにより生成したハイパーリンクを表示部へ表示するステップと、前記表示部に表示されたハイパーリンクの選択を入力部から受け付けるステップと、該ステップによりハイパーリンクの選択を受け付けた場合に、前記アドレス先のコンピュータから制限情報が付加されていないコンテンツデータの受信を要求するステップとを実行させることを特徴とする。
【００１７】
本発明にあっては、コンテンツデータの記憶に関する制限情報が付加された制限コンテンツデータ、並びに、制限コンテンツデータの制限情報が付加されていないコンテンツデータを記憶するコンピュータのアドレス及び前記制限コンテンツデータのタイトルまたはアーティスト名を含む付属情報をコンピュータから携帯端末機へ送信する。携帯端末機は、送信された制限コンテンツデータ及び付属情報を受信する。そして携帯端末機の制御部は、受信した付属情報に基づき、アドレスへアクセスするためのタイトルまたはアーティスト名を示すハイパーリンクを生成する。
【００１８】
そして、携帯端末機は生成したハイパーリンクを表示部へ表示する。ここで、ユーザが、制限情報が付加されていないコンテンツデータの受信を希望する場合、このハイパーリンクをクリックする。すなわち、携帯端末機は、表示部に表示されたハイパーリンクの選択を入力部から受け付ける。そして、ハイパーリンクの選択を受け付けた場合に、携帯端末機は、アドレス先のコンピュータへ制限情報が付加されていないコンテンツデータの受信を要求する。これによりアドレス先のコンピュータが送信したコンテンツデータを携帯端末機は受信できるので、制限コンテンツデータと共に送信される付属情報に基づくハイパーリンクを利用して、タイトルまたはアーティスト名を伴って、容易にかつ迅速に希望するコンテンツデータを受信することが可能となる。
【００１９】
本発明にあっては、コンピュータから携帯端末機へ、制限コンテンツデータ及び付属情報に加えて、制限コンテンツデータに関連する関連コンテンツデータを記憶するコンピュータのアドレスを含む補助付属情報を送信する。携帯端末機はこの補助付属情報をも制限コンテンツデータ及び付属情報に加えて受信する。携帯端末機は、この受信した補助付属情報を表示部へ表示する。また、携帯端末機は、ユーザからの表示部に表示された補助付属情報の選択を入力部から受け付け、アドレス先のコンピュータから関連コンテンツデータの受信を要求する。そして当該アドレス先のコンピュータは、関連コンテンツデータを携帯端末機へ送信するようにしたので、制限コンテンツデータ及び付属情報を用いたコンテンツデータの提供に加えて、当該コンテンツデータに関連する、アーティストのインタビューまたはライブ演奏データ等の魅力的な関連データを一連の流れにおいて選択容易に提供することが可能となる。
【００２０】
本発明にあっては、コンピュータは、新たな制限コンテンツデータが記憶部に記憶された場合に、制限コンテンツデータに関する更新情報を携帯端末機へ送信する。これにより、ユーザは最適なタイミングでコンテンツデータを受信することが可能となる。
【００２１】
本発明にあっては、携帯端末機から制限コンテンツデータを検索するための検索情報をコンピュータは受信する。コンピュータは、新たな制限コンテンツデータ及び該制限コンテンツデータの付属情報が記憶部に記憶された場合に、該記憶された付属情報が、受信した検索情報に合致するか否かを判断する。そして、付属情報が、検索情報に合致すると判断した場合に、制限コンテンツデータの更新情報を携帯端末機へ送信するので、ユーザが予め送信した検索情報に合致し、また、新たな制限コンテンツデータが記憶部に記憶されたことを条件に、最適なタイミングでコンテンツデータを受信することが可能となる。
【発明の効果】
【００２２】
本発明にあっては、携帯端末機の制御部は、受信した付属情報に基づき、アドレスへアクセスするためのタイトルまたはアーティスト名を示すハイパーリンクを生成し表示する。ハイパーリンクの選択を受け付けた場合に、携帯端末機は、アドレス先のコンピュータへ制限情報が付加されていないコンテンツデータの受信を要求する。これによりアドレス先のコンピュータが送信したコンテンツデータを携帯端末機は受信できるので、制限コンテンツデータと共に送信される付属情報に基づくハイパーリンクを利用して、タイトルまたはアーティスト名を伴って、容易にかつ迅速に希望するコンテンツデータを受信することが可能となる。またこのような一連の処理により、小型の入力部及び表示部しか持たない携帯端末機においても、ユーザに負担をかけることなく簡易にコンテンツデータの提供を実現することが可能となる。
【００２３】
本発明にあっては、携帯端末機は補助付属情報をも制限コンテンツデータ及び付属情報に加えて受信する。携帯端末機は、この受信した補助付属情報を表示部へ表示する。また、携帯端末機は、ユーザからの表示部に表示された補助付属情報の選択を入力部から受け付け、アドレス先のコンピュータから関連コンテンツデータの受信を要求する。そして当該アドレス先のコンピュータは、関連コンテンツデータを携帯端末機へ送信するようにしたので、制限コンテンツデータ及び付属情報を用いたコンテンツデータの提供に加えて、当該コンテンツデータに関連する、アーティストのインタビューまたはライブ演奏データ等の魅力的な関連データを一連の流れにおいて選択容易に提供することが可能となる。これにより、様々なサービスを提供することができ、またコンテンツデータの受信を希望するユーザ数の増加を期待することが可能となる。
【００２４】
本発明にあっては、コンピュータは、新たな制限コンテンツデータが記憶部に記憶された場合に、制限コンテンツデータに関する更新情報を携帯端末機へ送信する。これにより、ユーザは最適なタイミングでコンテンツデータを受信することが可能となる。
【００２５】
本発明にあっては、新たな制限コンテンツデータ及び該制限コンテンツデータの付属情報が記憶部に記憶された場合に、該記憶された付属情報が、受信した検索情報に合致するか否かを判断する。そして、付属情報が、検索情報に合致すると判断した場合に、制限コンテンツデータの更新情報を携帯端末機へ送信するので、ユーザが予め送信した検索情報に合致し、また、新たな制限コンテンツデータが記憶部に記憶されたことを条件に、最適なタイミングでコンテンツデータを受信することが可能となる。また、ユーザが予め送信した検索情報との合致と、新たなコンテンツデータの記憶とのアンド条件を満たした場合に、更新情報を送信するので、ユーザは自分の好みにあった情報のみを最適なタイミングで入手することが可能となる等、本発明は優れた効果を奏する。
【発明を実施するための最良の形態】
【００２６】
実施の形態１
以下本発明の実施の形態を、図面を参照して説明する。図１は本発明に係るコンテンツデータ送信システムの概要を示す模式図である。以下では送受信するコンテンツデータを音楽データであるものとして説明するが、動画データ、静止画像データ等であっても良い。Ｓは本発明に係る音楽データ送信システムであり、制限音楽データ等を要求に応じて送信するコンピュータ１、インターネット及び携帯電話回線網等を含む通信網Ｎ、並びに、携帯端末機２，２，２，・・・を含んで構成される。コンピュータ１は、例えばサーバコンピュータが用いられる。以下ではコンピュータ１をサーバコンピュータ１であるものとして説明する。携帯端末機２は例えば、携帯電話機、ＰＤＡ(Personal Digital Assistance)、表示部を備える可搬型オーディオプレーヤまたは可搬型ゲーム機等であり、一般のカラオケ店舗に設置されるモニタより小型の表示画面を備える可搬型の携帯端末機である。本実施の形態においては、携帯端末機２を携帯電話機２であるものとして説明する。
【００２７】
図２はサーバコンピュータ１のハードウェア構成を示すブロック図である。サーバコンピュータ１は、制御部としてのＣＰＵ(Central Processing Unit)１１、ＲＡＭ(Random Access Memory)１２、入力部１３、表示部１４、通信部１６及び記憶部１５を含んで構成される。ＣＰＵ１１は、バス１７を介してサーバコンピュータ１のハードウェア各部と接続されていて、それらを制御すると共に、記憶部１５に格納された制御プログラム１５Ｐに従って、携帯電話機２から要求される各ソフトウェア処理を実行する。
【００２８】
表示部１４は例えば液晶ディスプレイ等であり、入力部１３はキーボード及びマウス等から構成される。通信部１６はモデムまたはＬＡＮカード等であり、通信網Ｎを介して携帯電話機２との間でＣＰＵ１１からの指示に従い各種情報を送受信する。記憶部１５は例えばハードディスクで構成され、内部には上述した制御プログラム１５Ｐが記憶されている。ＲＡＭ１２は任意のアドレスを指定して読み書きすることが可能な半導体メモリである。
【００２９】
また記憶部１５には、制限音楽データファイル１５１及び音楽データファイル１５２が記憶されている。なお、本実施の形態においては、サーバコンピュータ１内の記憶部１５に、制限音楽データファイル１５１及び音楽データファイル１５２を記憶することとしたが、図示しない他のデータベースサーバ内に、制限音楽データファイル１５１及び音楽データファイル１５２を設け、通信部１６を介して内部の情報の読み出しまたは書き込みを行うようにしても良い。さらに、制限音楽データファイル１５１のみをサーバコンピュータ１の記憶部１５に設け、音楽データファイル１５２を他の図示しないサーバコンピュータに設けるようにしても良い。
【００３０】
図３は携帯電話機２のハードウェア構成を示すブロック図である。携帯電話機２は、制御部としてのＣＰＵ２１、一時記憶部２２、電源部Ｐ、入力部２３、表示部２４、通信部２６、マイク２８、スピーカ２９及び主記憶部２５を含んで構成される。ＣＰＵ２１は、バス２７を介して携帯電話機２のハードウェア各部と接続されていて、それらを制御すると共に、主記憶部２５に格納された制御プログラム２５Ｐに従って、種々のソフトウェア的機能を実行する。
【００３１】
表示部２４は例えば液晶ディスプレイ等であり、入力部２３はプッシュボタン等により構成される。なお、タッチパネルのように表示部２４と入力部２３とを一体的に構成するようにしても良い。スピーカ２９は音楽データ、通話データ、またはマイク２８から入力された音声に係る音声信号を増幅して出力する。電源部Ｐはバッテリーであり、携帯電話機２へ電力を供給する。マイク２８は外部から入力された音声信号を電気信号へ変換する。変換後の電気信号は図示しないＡ／Ｄ変換器によりデジタルデータへ変換されてＣＰＵ２１へ出力される。通信部２６は高周波送受信部及びアンテナ等を備え、楽曲データまたは歌詞データ等を含む各種データの送受信を行う。
【００３２】
一時記憶部２２は、例えばＤＲＡＭ（Dynamic Random Access Memory）が用いられ、電源部Ｐからの電力供給が停止された場合、または記憶領域に他のデータが上書きされた場合に、内部の記憶内容が失われる揮発性メモリである。また主記憶部２５は、フラッシュメモリまたはメモリカード等、電源部Ｐからの電力供給が停止された場合でも、記憶内容を保持することが可能な不揮発性メモリが用いられる。携帯電話機２のＣＰＵ２１は、制限情報が付加された制限音楽データを受信した場合、制限音楽データを一時記憶部２２にのみ記憶し、主記憶部２５には記憶させない処理を行う。一方、ＣＰＵ２１は、制限情報が付加されていない音楽データを受信した場合、当該音楽データを一時記憶部２２及び主記憶部２５の双方に記憶する。
【００３３】
本実施の形態における制限情報は携帯電話機２の主記憶部２５に対する制限音楽データの記憶に関する制限が付加されている。すなわち、制限音楽データは一時記憶部２２にのみ記憶され、ＣＰＵ２１はこれを読み出してスピーカ２９に繰り返し出力して再生することができる。電源部Ｐからの電力の供給が停止した場合、または制限音楽データの再生を終了して、他のプログラムを動作させることにより、他のデータが当該制限音楽データの記憶領域に上書きされた場合、一時記憶部２２に記憶された制限音楽データの記憶内容は失われる。
【００３４】
一方、制限情報が付加されていない音楽データを受信した場合は、ＣＰＵ２１は当該音楽データを一時記憶部２２のみならず、主記憶部２５にも記憶するので、ＣＰＵ２１は必要に応じて記憶された音楽データを主記憶部２５から読み出し、スピーカ２９を通じて音楽データの再生を行う。ＣＰＵ２１は制限音楽データと音楽データとの識別を以下の方法により行う。
【００３５】
制限音楽データ及び音楽データのヘッダの一部にはデータの記憶に関する制限情報が記述されている。これは、例えば、制限音楽データの場合、＜ＯＢＪＥＣＴ＞・・・記憶回数０・・・＜／ＯＢＪＥＣＴ＞と記述されている。すなわち記憶回数０という制限情報が記述されている。ＣＰＵ２１はこのヘッダ内に「記憶回数０」が記述されている場合、制限音楽データであると判断し、一時記憶部２２にのみ記憶を行い、主記憶部２５への記憶を禁止する処理を行う。
【００３６】
一方、制限情報が付加されていない音楽データの場合、ヘッダ内の＜ＯＢＪＥＣＴ＞・・・・＜／ＯＢＪＥＣＴ＞に、記憶回数に関する情報が記述されていない。ＣＰＵ２１はこの記憶回数に関する情報がヘッダ内に記述されていない場合、音楽データであると判断して、一時記憶部２２及び主記憶部２５の双方への記憶を許可する処理を行う。
【００３７】
図４は制限音楽データファイル１５１のレコードレイアウトを示す説明図である。制限音楽データファイル１５１は、付属情報フィールド、制限音楽データフィールド及び制限情報フィールドを含んで構成される。制限音楽データフィールドには、携帯電話機２に送信される音楽データの記憶に関する制限情報が付加された制限音楽データが記憶されている。この制限音楽データは、例えばＭＰ３（MPEG 1 Audio Layer 3）形式、ＡＴＲＡＣ（Adaptive TRansform Acoustic Coding）形式、またはＡＡＣ（Advanced Audio Coding）形式等により記憶されている。
【００３８】
制限情報フィールドには制限音楽データに対応付けて、制限情報である記憶回数が記憶されている。図４に示すように、記憶回数は０と記憶されている。これは上述したように、制限音楽データは、携帯電話機２の一時記憶部２２にのみ記憶を認め、主記憶部２５には記憶を認めないことを意味する。具体的には制限音楽データのファイルのヘッダに記述する情報、＜ＯＢＪＥＣＴ＞・・・記憶回数０・・・＜／ＯＢＪＥＣＴ＞が記憶されている。
【００３９】
付属情報フィールドには、各制限音楽データに対応付けて、付属情報が記憶されている。この付属情報としては、例えば制限情報が付加されていない音楽データの記憶先となるアドレス、アーティスト名（以下、歌手名）及びタイトル（以下、曲名）が含まれる。付属情報フィールドは、アドレスフィールド、歌手名フィールド及び曲名フィールドを含んで構成される。アドレスフィールドには、制限情報が付加されていない音楽データの記憶先を示すアドレスが、制限音楽データに対応付けて記憶されている。また歌手名フィールドには、各制限音楽データの歌手の名前（ＡＡ、ＢＢ・・・）が記憶されており、さらに曲名フィールドには、各制限音楽データの曲名（ＡＡ１、ＡＡ２、ＡＡ３・・・ＢＢ１、ＢＢ２・・・）が記憶されている。例えば、歌手名「ＡＡ」の曲名「ＡＡ１」の制限情報が付加されていない音楽データのアドレスはＵＲＬ（Uniform Resource Locator）として、「http://www.XX.AA.AA1」と記憶されている。なお、本実施の形態においては歌手名及び曲名の双方を記憶しているが、いずれか一つを記憶するようにしても良い。このアドレス先である音楽データファイル１５２に音楽データがそれぞれ記憶されている。
【００４０】
図５は音楽データファイル１５２のレコードレイアウトを示す説明図である。音楽データファイル１５２はアドレスフィールド及び音楽データフィールド及び制限情報フィールドを含んで構成される。アドレスフィールドには、音楽データフィールドに記憶された音楽データを読み出すためのアドレスが記憶されている。また制限情報フィールドには、携帯電話機２における音楽データの記憶に関する制限情報として、「なし」、と記憶されている。これは、音楽データファイル１５２に記憶されている音楽データは、携帯端末機２において、一時記憶部２２及び主記憶部２５の双方で記憶が可能であることを示すものである。具体的には、サーバコンピュータ１から携帯端末機２へ音楽データが送信される場合、記憶回数に関する情報が付加されていないヘッダ＜ＯＢＪＥＣＴ＞・・・・＜／ＯＢＪＥＣＴ＞が付加されて送信される。
【００４１】
ＣＰＵ１１は、制限音楽データを送信する場合、記憶部１５の制限音楽データファイル１５１から一の制限音楽データ、これに対応する制限情報、付属情報であるアドレス、歌手名及び曲名を読み出す。そしてＣＰＵ１１は、この読み出した制限音楽データ、これに対応する制限情報、付属情報であるアドレス、歌手名及び曲名を、通信部１６を介して携帯電話機２へ送信する。例えば、曲名ＡＡ１の制限音楽データが送信される場合、制限音楽データのファイル、制限情報である記憶回数「０」を示すヘッダ、曲名「ＡＡ１」、歌手名「ＡＡ」及び、制限情報が付加されていない音楽データの記憶先であるアドレス（http://www.XX.AA.AA1）が送信される。
【００４２】
携帯電話機２のＣＰＵ２１は通信部２６を介して、送信された制限音楽データ、これに対応する制限情報、付属情報であるアドレス、歌手名及び曲名を受信する。ＣＰＵ２１は受信した情報に制限情報が存在するか否かを判断する。具体的にはヘッダを参照し、記憶回数に関する情報が記述されているか否かを判断する。制限情報が存在すると判断した場合、すなわち、ヘッダ内に記憶回数０と記述されている場合、受信した制限音楽データ、これに対応する制限情報、付属情報であるアドレス、歌手名及び曲名を一時記憶部２２にのみ記憶し、主記憶部２５への記憶を禁止する。
【００４３】
入力部２３から、ユーザによる制限音楽データの再生指示を受け付けた場合、ＣＰＵ２１は、再生プログラムを起動し、一時記憶部２２に記憶された制限音楽データを読み出し、スピーカ２９から再生出力する。なお、この再生プログラムは制御プログラム２５Ｐの一部をなすものである。ＣＰＵ２１は一時記憶部２２に制限音楽データが記憶されている場合、繰り返し制限音楽データを、入力部２３からの再生指示に従い再生処理を行う。電源部Ｐからの電力供給が停止した場合、一時記憶部２２に記憶された制限音楽データ、これに対応する制限情報、付属情報であるアドレス、歌手名及び曲名は全て失われ、ＣＰＵ２１は再生処理を実行することができない。
【００４４】
また、再生プログラムを終了した場合、一時記憶部２２には、他の処理データが上書きされるため、一時記憶部２２に記憶された制限音楽データ、これに対応する制限情報、付属情報であるアドレス、歌手名及び曲名の各データは消去される。
【００４５】
図６は携帯電話機２の表示部２４の表示形態を示すイメージ図である。ＣＰＵ２１は主記憶部２５内の再生プログラムが起動された場合、ＨＴＭＬ（HyperText Markup Language）文を作成し、表示部２４に出力する。図６に示すように、再生ボタン２４１、停止ボタン２４２、及び歌手名及び曲名が表示され、当該曲名に対応する制限情報が付加されていない音楽データを受信するためのアドレスが記述されたハイパーリンク２４３が表示される。
【００４６】
図６に示す再生ボタン２４１及び停止ボタン２４２を表示するためのＨＴＭＬ文は再生プログラム内部に記述されている。ＣＰＵ２１は記述されたＨＴＭＬ文に従い再生ボタン２４１及び停止ボタン２４２を表示する。再生ボタン２４１が入力部２３を介して選択された場合、ＣＰＵ２１はその選択信号を受け付け、一時記憶部２２に記憶された制限音楽データを読み出し、スピーカ２９を通じて、音楽データを再生する。停止ボタン２４２が入力部２３を介して選択された場合、ＣＰＵ２１はその選択信号を受け付け、一時記憶部２２に記憶された制限音楽データの再生を停止する。
【００４７】
ＣＰＵ２１は、サーバコンピュータ１から送信された制限音楽データに対応する付属情報であるアドレス、歌手名及び曲名を読み出し、歌手名及び曲名を表示部２４に表示し、またアドレス先へのアクセスを許可するハイパーリンク２４３を生成する。ハイパーリンク２４３には、図６に示すように少なくとも歌手名及び曲名が表示され、そのリンク先としてアドレスがＨＴＭＬ文により記述されている。ハイパーリンク２４３が、入力部２３を通じて選択された場合、ＣＰＵ２１はその選択を入力部２３から受け付ける。ＣＰＵ２１は、生成されたハイパーリンク内に記述されたアドレス先へ、通信部２６を通じてアクセスし、制限情報が付加されていない音楽データの受信を要求する。
【００４８】
サーバコンピュータ１のＣＰＵ１１は、ＣＰＵ２１からの要求を受けて、送信されたアドレスを参照し、音楽データファイル１５２から、制限情報が付加されていない音楽データを読み出す。上述した例では、アドレス「http://www.XX.AA.AA1」がハイパーリンク内に記述されているので、音楽データファイル１５２内の「http://www.XX.AA.AA1」に対応する音楽データが読み出される。ＣＰＵ１１は、この読み出した音楽データを、制限情報が付加されていないヘッダと共に、通信部１６を介して携帯電話機２へ送信する。
【００４９】
ＣＰＵ２１は通信部２６を介して、送信された音楽データ及びヘッダを受信する。ＣＰＵ２１は受信したヘッダに制限情報が付加されているか否かを判断する。そしてＣＰＵ２１は制限情報が付加されていないと判断した場合は、音楽データを主記憶部２５に記憶する。そして、再生プログラムが起動され、入力部２３から、音楽データの再生指示を受け付けた場合、ＣＰＵ２１は、主記憶部２５から音楽データを読み出し、スピーカ２９を通じて音楽データを再生する。これにより、電源部Ｐからの電力供給が中断された場合、または、再生プログラムを終了した場合でも、主記憶部２５に音楽データが記憶されているので、ユーザは繰り返し、この音楽データを読み出して再生することが可能となる。
なお、本実施の形態においては音楽データを主記憶部２５に記憶しているが、一次記憶部２２にも記憶しても良い。
【００５０】
図７及び図８は制限音楽データ及び音楽データの送受信処理の手順を示すフローチャートである。サーバコンピュータ１のＣＰＵ１１は、携帯電話機２から制限音楽データの受信要求を受け付けた場合、制限音楽データファイル１５１へアクセスし、受信要求のあった制限音楽データ及び制限情報を読み出す（ステップＳ７１）。また、ＣＰＵ１１は、制限音楽データファイル１５１から、読み出した制限音楽データに対応する付属情報、すなわち、制限情報が付加されていない音楽データを記憶するサーバコンピュータ１のアドレス、歌手名及び曲名を読み出す（ステップＳ７２）。ＣＰＵ１１は、制限音楽データのファイルのヘッダに制限情報を付加する。そしてＣＰＵ１１はこれら読み出した、制限音楽データ、制限情報、アドレス、歌手名及び曲名を、通信部１６を介して携帯電話機２へ送信する（ステップＳ７３）。なお、制限音楽データを受信する場合は、ユーザが携帯電話機２を用いて、サーバコンピュータ１へアクセスし、サーバコンピュータ１のＷｅｂサイト上で希望する制限音楽データを検索するようにしても良い。この場合、携帯電話機２の入力部２３から入力された検索情報がサーバコンピュータ１へ送信され、サーバコンピュータ１はこれを受けて制限音楽データファイル１５１を検索し、検索情報に対応する制限音楽データを読み出す。そしてサーバコンピュータ１のＣＰＵ１１は検索した制限音楽データを携帯電話機２へ送信する。
【００５１】
携帯電話機２のＣＰＵ２１は、送信された制限音楽データ、制限情報、アドレス、歌手名及び曲名を、通信部２６を介して受信する（ステップＳ７４）。ＣＰＵ２１は、受信した制限音楽データのヘッダに制限情報が記述されているか否かを判断する。そして、ＣＰＵ２１は制限音楽データのヘッダに制限情報が記述されていると判断した場合は、受信した制限音楽データ、制限情報、アドレス、歌手名及び曲名を一時記憶部２２に記憶する（ステップＳ７５）。
【００５２】
ユーザは、再生を希望する場合、再生プログラムを、入力部２３を操作することにより起動し、図６に示す再生ボタン２４１を選択する。ＣＰＵ２１は入力部２３から再生ボタン２４１の選択を受け付けた場合、制限音楽データを一時記憶部２２から読み出し、スピーカ２９を通じて再生する（ステップＳ７６）。ＣＰＵ２１は、受信した制限音楽データに対応するアドレス、歌手名及び曲名から、アドレス先へアクセスするための歌手名及び曲名が表示されるハイパーリンク２４３を生成する（ステップＳ７７）。
【００５３】
ＣＰＵ２１は、生成したハイパーリンク２４３を図６に示す如く、表示部２４に表示する（ステップＳ７８）。ユーザは、制限情報が付加されていない音楽データを受信する場合、入力部２３を通じて、ハイパーリンク２４３を選択する。ＣＰＵ２１は、入力部２３から、ハイパーリンク２４３の選択を受け付ける（ステップＳ７９）。ＣＰＵ２１は、ハイパーリンク２４３の選択を受けて、ハイパーリンク２４３に記述されたアドレスをサーバコンピュータ１へ送信することにより、制限情報が付加されていない音楽データの受信を、通信部２６を介して要求する（ステップＳ７１０）。
【００５４】
サーバコンピュータ１のＣＰＵ１１はこの受信要求を受け、送信されたアドレスを参照し、音楽データファイル１５２から、制限情報が付加されていない音楽データを読み出す（ステップＳ７１１）。ＣＰＵ１１はこの読み出した音楽データを、通信部１６を介して携帯電話機２へ送信する（ステップＳ７１２）。なお、この送信される音楽データのヘッダには制限情報は付加されていない。携帯電話機２のＣＰＵ２１は、通信部２６を介して送信された音楽データを受信する（ステップＳ７１３）。
【００５５】
ＣＰＵ２１は、送信された音楽データのヘッダに制限情報が記述されているか否かを判断する。ＣＰＵ２１は、送信された音楽データのヘッダに制限情報が記述されていないと判断した場合は、送信された音楽データを主記憶部２５に記憶する（ステップＳ７１４）。ユーザは、音楽データの再生を希望する場合、再生プログラムを起動し、再生ボタン２４１を入力部２３から選択する。ＣＰＵ２１は、入力部２３から、再生ボタン２４１の選択を受け付けた場合、音楽データを主記憶部２５から読み出し、スピーカ２９を通じて音楽データの再生を行う（ステップＳ７１５）。
【００５６】
実施の形態２
実施の形態２は関連音楽データを送受信する形態に関する。図９は実施の形態２に係るサーバコンピュータ１のハードウェア構成を示すブロック図である。実施の形態２に係るサーバコンピュータ１の記憶部１５には、制限音楽データに関連する関連音楽データを記憶する関連音楽データファイル１５３が新たに設けられている。図１０は実施の形態２に係る制限音楽データファイル１５１の一部を示す説明図である。付属情報フィールドは実施の形態１に係る付属情報フィールドに加え、補助付属情報フィールドが追加されている。なお、図４において示した制限音楽データフィールド及び制限情報フィールドの記載は省略している。補助付属情報フィールドには、タイトル及び補助アドレスが、各制限音楽データに対応付けて記憶されている。
【００５７】
タイトルフィールドには、制限音楽データに関連する関連音楽データのタイトルが、制限音楽データに対応付けて記憶されている。このタイトルとしては例えば、歌手名「ＡＡ」の「ＡＡインタビュー１」または曲名「ＡＡ１」の「ＡＡ１ライブ」等が該当する。また補助アドレスフィールドには、制限音楽データに関連する関連音楽データを記憶する関連音楽データファイル１５３のアドレスを、制限音楽データに関連付けて記憶している。この補助アドレス先である関連音楽データファイル１５３に関連音楽データが記憶されている。
【００５８】
図１１は関連音楽データファイル１５３のレコードレイアウトを示す説明図である。関連音楽データファイル１５３は、補助アドレスフィールド、関連音楽データフィールド及び制限情報フィールドを含んで構成される。補助アドレスフィールドには、関連音楽データに対応付けて、補助アドレスが記憶されている。例えば、歌手名「ＡＡ」のタイトル「ＡＡインタビュー１」の補助アドレスは、「http://www.XX.AA.AA1.1」であり、これに対応して歌手名「ＡＡ」のインタビューに係る音楽ファイルが関連音楽データフィールドに記憶されている。制限情報フィールドは、関連音楽データに対応付けて制限情報を記憶している。本実施の形態においては関連音楽データに制限情報を付加しないため「なし」と記憶されている。関連音楽データを送信する場合は、記憶回数に関する情報が付加されていないヘッダ＜ＯＢＪＥＣＴ＞・・・・＜／ＯＢＪＥＣＴ＞が付加されて送信される。なお、本実施の形態においては関連音楽データに制限情報を付加していないが、制限音楽データと同じく、制限情報を付加するようにしても良い。
【００５９】
サーバコンピュータ１のＣＰＵ１１は、制限音楽データ、制限情報、アドレス、歌手名及び曲名を送信する場合、これらに加えて、補助付属情報、すなわち制限音楽データに関連する関連音楽データの記憶先となる補助アドレス（http://www.XX.AA.AA1.1及びhttp://www.XX.AA.AA1.2）及び関連音楽データのタイトル（ＡＡインタビュー１及びＡＡ１ライブ）を、制限音楽データファイル１５１から読み出して、携帯電話機２へ送信する。携帯電話機２のＣＰＵ２１は、制限音楽データ、制限情報、アドレス、歌手名、曲名、補助アドレス及びタイトルを受信する。ＣＰＵ２１は、送信された制限音楽データ、制限情報、アドレス、歌手名、曲名、補助アドレス及びタイトルを一時記憶部２２に記憶する。ＣＰＵ２１は、実施の形態１のハイパーリンク２４３に加えて関連音楽データへアクセスするためのハイパーリンクを生成する処理を行う。なお、本実施の形態においては関連音楽データとして、インタビューまたはライブを用いて説明したが、当該アーティストの動画データ、または静止画データ等であっても良い。
【００６０】
図１２は表示例を示す説明図である。ＣＰＵ２１は、送信されたタイトル及び補助アドレスに基づき、タイトルが表示され、また、補助アドレス先へのアクセスが可能となるハイパーリンク２４４及びハイパーリンク２４５を生成する。上述の例では、歌手名「ＡＡ」の曲名「ＡＡ１」に関する制限音楽データに関連する関連音楽データとして、「ＡＡインタビュー１」及び「ＡＡ１ライブ」が存在することから、これらにそれぞれアクセスするためのハイパーリンク２４４及びハイパーリンク２４５が生成される。ここで、「ＡＡインタビュー１」とタイトルが表示され、また補助アドレスが記述されたハイパーリンク２４４、及び、「ＡＡ１ライブ」と表示され、補助アドレスが記述されたハイパーリンク２４５がそれぞれ補助付属情報となる。
【００６１】
ＣＰＵ２１は、このようにして生成した関連音楽データを受信するためのハイパーリンク２４４及びハイパーリンク２４５を表示部２４に表示する。ＣＰＵ２１はユーザの入力部２３の操作に基づく、ハイパーリンク２４４またはハイパーリンク２４５の選択があった場合、これを受け付け、ハイパーリンク２４４またはハイパーリンク２４５に記述された補助アドレス先へアクセスし、関連音楽データの受信要求を行う。サーバコンピュータ１のＣＰＵ１１はこの受信要求を受けて、関連音楽データファイル１５３から対応する関連音楽データを読み出し、携帯電話機２へ送信する。なお、この場合、制限情報は付加されない。携帯電話機２のＣＰＵ２１は送信された関連音楽データを受信し、主記憶部２５に記憶する。ＣＰＵ２１はユーザからの再生指示を受け付けた場合、関連音楽データを再生する。
【００６２】
図１３及び図１４は関連音楽データの送受信の手順を示すフローチャートである。サーバコンピュータ１のＣＰＵ１１は、携帯電話機２から制限音楽データの受信要求を受け付けた場合、制限音楽データファイル１５１へアクセスし、受信要求のあった制限音楽データ及び制限情報を読み出す（ステップＳ１３１）。また、ＣＰＵ１１は、制限音楽データファイル１５１から、読み出した制限音楽データに対応する付属情報、すなわち、制限情報が付加されていない音楽データを記憶するサーバコンピュータ１のアドレス、歌手名及び曲名を読み出す（ステップＳ１３２）。ＣＰＵ１１は、制限音楽データのファイルのヘッダに制限情報を付加する。
【００６３】
さらに、ＣＰＵ１１は、制限音楽データファイル１５１から制限音楽データに対応する補助付属情報、すなわち制限音楽データに関連するタイトル及び関連音楽データの記憶先である補助アドレスを読み出す（ステップＳ１３３）。そしてＣＰＵ１１はこれら読み出した、制限音楽データ、制限情報、アドレス、歌手名、曲名、タイトル及び補助アドレスを、通信部１６を介して携帯電話機２へ送信する（ステップＳ１３４）。
【００６４】
携帯電話機２のＣＰＵ２１は、送信された制限音楽データ、制限情報、アドレス、歌手名、曲名、タイトル及び補助アドレスを、通信部２６を介して受信する（ステップＳ１３５）。ＣＰＵ２１は、受信した制限音楽データのヘッダに制限情報が記述されているか否かを判断する。そして、ＣＰＵ２１は制限音楽データのヘッダに制限情報が記述されていると判断した場合は、受信した制限音楽データ、制限情報、アドレス、歌手名、曲名、タイトル及び補助アドレスを一時記憶部２２に記憶する（ステップＳ１３６）。
【００６５】
ユーザは、再生を希望する場合、再生プログラムを、入力部２３を操作することにより起動し、図１２に示す再生ボタン２４１を選択する。ＣＰＵ２１は入力部２３から再生ボタン２４１の選択を受け付けた場合、制限音楽データを一時記憶部２２から読み出し、スピーカ２９を通じて再生する（ステップＳ１３７）。ＣＰＵ２１は、受信した制限音楽データに対応するアドレス、歌手名及び曲名から、アドレス先へアクセスするための歌手名及び曲名が表示されるハイパーリンク２４３を生成する（ステップＳ１３８）。さらに、受信した関連音楽データへの補助アドレス及びタイトルから、補助アドレス先へアクセスするためのタイトルが表示されたハイパーリンク２４４及びハイパーリンク２４５を生成する（ステップＳ１３９）。
【００６６】
ＣＰＵ２１は、生成したハイパーリンク２４３、ハイパーリンク２４４及びハイパーリンク２４５を図１２に示す如く、表示部２４に表示する（ステップＳ１３１０）。ユーザは、制限情報が付加されていない関連音楽データを受信する場合、入力部２３を通じて、ハイパーリンク２４４またはハイパーリンク２４５を選択する。ＣＰＵ２１は、入力部２３から、ハイパーリンク２４４またはハイパーリンク２４５の選択を受け付ける（ステップＳ１３１１）。ＣＰＵ２１は、ハイパーリンク２４４またはハイパーリンク２４５の選択を受けて、ハイパーリンク２４４またはハイパーリンク２４５に記述されたアドレスをサーバコンピュータ１へ送信することにより、関連音楽データの受信を、通信部２６を介して要求する（ステップＳ１３１２）。
【００６７】
サーバコンピュータ１のＣＰＵ１１はこの受信要求を受け、送信されたアドレスを参照し、関連音楽データファイル１５３から、関連音楽データを読み出す（ステップＳ１３１３）。ＣＰＵ１１はこの読み出した関連音楽データを、通信部１６を介して携帯電話機２へ送信する（ステップＳ１３１４）。なお、この送信される関連音楽データのヘッダには制限情報は付加されていない。携帯電話機２のＣＰＵ２１は、通信部２６を介して送信された関連音楽データを受信する（ステップＳ１３１５）。
【００６８】
ＣＰＵ２１は、送信された関連音楽データのヘッダに制限情報が記述されているか否かを判断する。ＣＰＵ２１は、送信された関連音楽データのヘッダに制限情報が記述されていないと判断した場合は、送信された関連音楽データを主記憶部２５に記憶する（ステップＳ１３１６）。ユーザは、関連音楽データの再生を希望する場合、再生プログラムを起動し、再生ボタン２４１を入力部２３から選択する。ＣＰＵ２１は、入力部２３から、再生ボタン２４１の選択を受け付けた場合、関連音楽データを主記憶部２５から読み出し、スピーカ２９を通じて関連音楽データの再生を行う（ステップＳ１３１７）。以上の如く構成したので、音楽データのみならず、これに関連するインタビューまたはライブ等の関連音楽データを一連の処理の中で容易に受信することが可能となる。なお、本実施の形態においては関連音楽データに対応する補助アドレスを携帯電話機２へ送信し、選択された補助アドレスに係る関連音楽データをユーザが受信するよう構成したが、特定のＵＲＬを携帯電話機２へ送信し、このＵＲＬに対応するＷｅｂサイトへのアクセスを許可し、このＷｅｂサイトへアクセスすることにより、ユーザが関連音楽データを受信できるようにしても良い。
【００６９】
本実施の形態２は以上の如き構成としてあり、その他の構成及び作用は実施の形態１と同様であるので、対応する部分には同一の参照番号を付してその詳細な説明を省略する。
【００７０】
実施の形態３
実施の形態３は、新たな制限音楽データが記憶された場合に、制限音楽データに関する更新情報を携帯電話機２へ送信する形態に関する。オペレータは通信部１６または図示しない記録媒体読み取り機を介して、新たな制限音楽データ、並びにこれに付属する歌手名及び曲名を入手した場合は、新たな制限音楽データ、歌手名及び曲名を制限音楽データファイル１５１に記憶する。サーバコンピュータ１のＣＰＵ１１は、音楽データを音楽データファイル１５２に記憶し、その記憶したアドレスを制限音楽データファイル１５１に記憶する。なお、制限音楽データファイル１５１の制限情報には、記憶回数に関して「０」と記憶される。
【００７１】
ＣＰＵ１１は、以上の処理により新たな制限音楽データが制限音楽データファイル１５１に記憶された場合、制限音楽データに対応する歌手名及び曲名を制限音楽データファイル１５１から読み出す。また、ＣＰＵ１１は、制限音楽データ、音楽データ及び関連音楽データを案内するポータルサイトのアドレスを読み出す。そして、ＣＰＵ１１は、記憶部１５に予め記憶した更新情報を記載するための定型文（歌手名「」の曲名「」がリリースされました。ポータルサイト「」へアクセス等）を読み出すと共に、予め登録したユーザの電子メールアドレスを読み出す。そしてＣＰＵ１１は、更新情報の定型文に、読み出した歌手名、曲名及びポータルサイトのアドレスを入力し、更新情報として読み出した電子メールアドレス宛へ送信する。携帯電話機２のＣＰＵ２１は送信された更新情報を表示部２４へ表示する。例えば、「歌手名「ＡＡ」の曲名「ＡＡ７」がリリースされました。ポータルサイト「http://www.XX.」へアクセス」等と表示される。これによりユーザは更新情報を閲覧でき、また更新情報内のＵＲＬへアクセスすることにより新たな制限音楽データを受信することが可能となる。この場合、ユーザは携帯電話機２の入力部２３を通じて、サーバコンピュータ１のＷｅｂサイトへアクセスする。Ｗｅｂサイト上には、新曲である音楽データの他、キャンペーン等で他の音楽データ等もアップロードされており、ユーザは携帯電話機２の入力部２３を通じて、受信を希望する音楽データを選択する。この選択を受けたサーバコンピュータ１は、当該選択された音楽データを携帯電話機２へ送信する。なお、本実施の形態においては、更新情報を電子メールにて通知する例について説明したが、これに限るものではなく、例えば株式会社ＮＴＴドコモが提供するｉチャネル（登録商標）サービス等を用いて、更新情報を送信して、携帯電話機２の表示部２４に表示させるようにしても良い。この場合、サーバコンピュータ１には、当該サービス申し込みを行ったユーザの携帯電話機２を特定するための情報（電話番号またはＭＡＣアドレス等）が記憶部１５に記憶される。そして、ＣＰＵ１１は、更新情報を送信する場合は、記憶部１５から携帯電話機２を特定するための情報を読み出し、この読み出した宛先へ更新情報を送信する。
【００７２】
図１５は更新情報の送信処理手順を示すフローチャートである。サーバコンピュータ１のＣＰＵ１１は制限音楽データファイル１５１に新たな制限音楽データが記憶されたか否かを判断する（ステップＳ１５１）。ＣＰＵ１１は、新たな制限音楽データが、制限音楽データファイル１５１に記憶されていないと判断した場合（ステップＳ１５１でＮＯ）、新たな制限音楽データが記憶されるまで以上の処理を繰り返す。一方、ＣＰＵ１１は新たな制限音楽データが制限音楽データファイル１５１に記憶されたと判断した場合（ステップＳ１５１でＹＥＳ）、制限音楽データファイル１５１から、当該制限音楽データに対応する歌手名及び曲名を読み出し、また記憶部１５から制限音楽データ、音楽データ及び関連音楽データを案内するポータルサイトのアドレスを読み出す（ステップＳ１５２）。
【００７３】
ＣＰＵ１１は、記憶部１５に記憶された電子メール作成のための定型文を読み出す（ステップＳ１５３）。ＣＰＵ１１は、定型文の適宜の箇所に、読み出した歌手名、曲名及びポータルサイトのアドレスを入力することにより、更新情報が記載された電子メールを作成する（ステップＳ１５４）。ＣＰＵ１１は記憶部１５に予め記憶されたユーザの電子メールアドレスを読み出す（ステップＳ１５５）。そして読み出した電子メールアドレス宛へ、更新情報が記載された電子メールを送信する（ステップＳ１５６）。
【００７４】
携帯電話機２のＣＰＵ２１は通信部２６を介して、送信された電子メールを受信する（ステップＳ１５７）。ＣＰＵ２１は、電子メールソフトウェアを起動し、内部に記載された更新情報を表示部２４へ表示する（ステップＳ１５８）。ユーザは電子メールに記載された新たな制限音楽データに関する歌手名及び曲名を知ることができ、必要に応じてポータルサイトへアクセスすることが可能となる。
【００７５】
本実施の形態３は以上の如き構成としてあり、その他の構成及び作用は実施の形態１及び実施の形態２と同様であるので、対応する部分には同一の参照番号を付してその詳細な説明を省略する。
【００７６】
実施の形態４
実施の形態４は検索情報を用いた更新情報の送信に関する。図１６は実施の形態４に係るサーバコンピュータ１のハードウェア構成を示すブロック図である。実施の形態２の構成に加え、記憶部１５には、検索情報登録ファイル１５４が記憶されている。
【００７７】
図１７は検索情報登録ファイル１５４のレコードレイアウトを示す説明図である。検索情報登録ファイル１５４は電子メールアドレスフィールド及び検索情報である歌手名フィールドを含んで構成される。電子メールアドレスには、ユーザの携帯電話機２の電子メールアドレスが記憶されている。この電子メールアドレスは、ユーザが携帯電話機２を用いて、ポータルサイトへアクセスすることにより、電子メールアドレスフィールドに記憶されるものである。歌手名フィールドには、電子メールアドレスに対応付けて、歌手名が記憶されている。この歌手名は検索情報の一つであり、新たな制限音楽データが登録され、かつ付属情報である歌手名が登録された場合に、登録先の電子メールアドレス宛へ、新たな制限音楽データに対する更新情報が送信される。
【００７８】
例えば、電子メールアドレスが「ＤＥＦ＠ＤＥＦ．ｃｏｍ」のユーザは、歌手名「ＢＢ」を登録しており、歌手名「ＢＢ」の新曲である制限音楽データが新たに制限音楽データファイル１５１に記憶された場合に、更新情報が記載された電子メールが送信される。ＣＰＵ１１は、携帯電話機２から電子メールアドレス及び歌手名が送信された場合、これを受け付け、検索情報登録ファイル１５４へ記憶する。ＣＰＵ１１は、新たな制限音楽データ、歌手名及び曲名が制限音楽データファイル１５１に記憶された場合、付属情報である歌手名を元に、検索情報登録ファイル１５４を検索し、合致する検索情報である歌手名が存在するか否かを判断する。ＣＰＵ１１は、合致すると判断した場合、検索情報登録ファイル１５４から、歌手名に対応する電子メールアドレスを読み出し、この電子メールアドレス宛へ更新情報が記載された電子メールを送信する。なお、本実施の形態においては検索情報として歌手名を用いて説明したが、これに限るものではなく、曲名等を検索情報として用いても良い。
【００７９】
図１８及び図１９は検索及び更新情報の送信処理の手順を示すフローチャートである。ユーザは、ポータルサイトへアクセスし、携帯電話機２の電子メールアドレス及び検索情報である歌手名を、入力部２３を通じて入力する。ＣＰＵ２１は入力された電子メールアドレス及び歌手名を受け付け、通信部２６を通じてサーバコンピュータ１へ送信する（ステップＳ１６１）。サーバコンピュータ１のＣＰＵ１１は、送信された電子メールアドレス及び歌手名を、通信部１６を介して受信する（ステップＳ１６２）。ＣＰＵ１１は、送信された電子メールアドレス及び歌手名を検索情報登録ファイル１５４へ記憶する（ステップＳ１６３）。
【００８０】
その後、サーバコンピュータ１のＣＰＵ１１は、制限音楽データファイル１５１に新たな制限音楽データが記憶されたか否かを判断する（ステップＳ１６４）。ＣＰＵ１１は、新たな制限音楽データが、制限音楽データファイル１５１に記憶されていないと判断した場合（ステップＳ１６４でＮＯ）、新たな制限音楽データが記憶されるまでステップＳ１６４の処理を繰り返す。一方、ＣＰＵ１１は新たな制限音楽データが制限音楽データファイル１５１に記憶されたと判断した場合（ステップＳ１６４でＹＥＳ）、制限音楽データファイル１５１から、新たに記憶された制限音楽データと共に記憶された付属情報の一つである歌手名を読み出す（ステップＳ１６５）。
【００８１】
ＣＰＵ１１は、読み出した付属情報の歌手名を基に、検索情報登録ファイル１５４の歌手名フィールドを検索し、付属情報の歌手名と検索情報である歌手名とが合致するか否かを判断する。そして、ＣＰＵ１１は、付属情報の歌手名と検索情報である歌手名とが合致すると判断した場合、付属情報の歌手名と検索情報である歌手名とが合致する電子メールアドレスを検索情報登録ファイル１５４から読み出す（ステップＳ１６６）。
【００８２】
続いて、ＣＰＵ１１は、制限音楽データファイル１５１から、制限音楽データに対応する歌手名及び曲名を読み出し、また記憶部１５から制限音楽データ、音楽データ及び関連音楽データを案内するポータルサイトのアドレスを読み出す（ステップＳ１６７）。ＣＰＵ１１は、記憶部１５に記憶された電子メール作成のための定型文を読み出す（ステップＳ１６８）。ＣＰＵ１１は、定型文の適宜の箇所に、読み出した歌手名、曲名及びポータルサイトのアドレスを入力することにより、更新情報が記載された電子メールを作成する（ステップＳ１６９）。ＣＰＵ１１はステップＳ１６６で読み出した電子メールアドレス宛へ、更新情報が記載された電子メールを送信する（ステップＳ１６１０）。
【００８３】
携帯電話機２のＣＰＵ２１は通信部２６を介して、送信された電子メールを受信する（ステップＳ１６１１）。ＣＰＵ２１は、電子メールソフトウェアを起動し、電子メールに記載された更新情報を表示部２４へ表示する（ステップＳ１６１２）。これにより、ユーザは送信した検索情報に対応する制限音楽データの更新情報を効率的に入手することが可能となる。
【００８４】
実施の形態５
図２０は実施の形態５に係る携帯電話機２の構成を示すブロック図である。実施の形態５に係る携帯電話機２を動作させるためのコンピュータプログラムは、本実施の形態５のように、ＣＤ−ＲＯＭ、ＭＯ、またはＤＶＤ−ＲＯＭ等の可搬型記録媒体１Ａで提供することも可能である。さらに、コンピュータプログラムを、通信網Ｎを介して図示しないサーバコンピュータからダウンロードすることも可能である。以下に、その内容を説明する。
【００８５】
図２０に示す携帯電話機２の図示しないリーダ／ライタに、制限音楽データ及び付属情報を受信させ、ハイパーリンク２４３を生成させ、ハイパーリンク２４３を表示させ、選択を受け付けさせ、受信を要求させるコンピュータプログラムが記録された可搬型記録媒体１Ａ（ＣＤ−ＲＯＭ、ＭＯ又はＤＶＤ−ＲＯＭ等）を、挿入して主記憶部２５の制御プログラム２５Ｐ内にこのプログラムをインストールする。または、かかるプログラムを、通信部２６を介して外部の図示しないサーバコンピュータからダウンロードし、主記憶部２５にインストールするようにしても良い。かかるプログラムは一時記憶部２２にロードして実行される。これにより、上述のような本発明の携帯電話機２として機能する。
【００８６】
本実施の形態５は以上の如き構成としてあり、その他の構成及び作用は実施の形態１乃至４と同様であるので、対応する部分には同一の参照番号を付してその詳細な説明を省略する。
【図面の簡単な説明】
【００８７】
【図１】本発明に係るコンテンツデータ送信システムの概要を示す模式図である。
【図２】サーバコンピュータのハードウェア構成を示すブロック図である。
【図３】携帯電話機のハードウェア構成を示すブロック図である。
【図４】制限音楽データファイルのレコードレイアウトを示す説明図である。
【図５】音楽データファイルのレコードレイアウトを示す説明図である。
【図６】携帯電話機の表示部の表示形態を示すイメージ図である。
【図７】制限音楽データ及び音楽データの送受信処理の手順を示すフローチャートである。
【図８】制限音楽データ及び音楽データの送受信処理の手順を示すフローチャートである。
【図９】実施の形態２に係るサーバコンピュータのハードウェア構成を示すブロック図である。
【図１０】実施の形態２に係る制限音楽データファイルの一部を示す説明図である。
【図１１】関連音楽データファイルのレコードレイアウトを示す説明図である。
【図１２】表示例を示す説明図である。
【図１３】関連音楽データの送受信の手順を示すフローチャートである。
【図１４】関連音楽データの送受信の手順を示すフローチャートである。
【図１５】更新情報の送信処理手順を示すフローチャートである。
【図１６】実施の形態４に係るサーバコンピュータのハードウェア構成を示すブロック図である。
【図１７】検索情報登録ファイルのレコードレイアウトを示す説明図である。
【図１８】検索及び更新情報の送信処理の手順を示すフローチャートである。
【図１９】検索及び更新情報の送信処理の手順を示すフローチャートである。
【図２０】実施の形態５に係る携帯電話機の構成を示すブロック図である。
【符号の説明】
【００８８】
１      サーバコンピュータ（コンピュータ）
１Ａ    可搬型記録媒体
２      携帯電話機（携帯端末機）
１１    ＣＰＵ（制御部）
１３    入力部
１４    表示部
１５    記憶部
１５Ｐ  制御プログラム
１６    通信部
２１    ＣＰＵ（制御部）
２２    一時記憶部
２３    入力部
２４    表示部
２５    主記憶部
２５Ｐ  制御プログラム
２６    通信部
２８    マイク
２９    スピーカ
１５１  制限音楽データファイル
１５２  音楽データファイル
１５３  関連音楽データファイル
１５４  検索情報登録ファイル
２４３、２４４、２４５  ハイパーリンク
Ｎ      通信網
Ｐ      電源部
Ｓ      音楽データ送信システム（コンテンツデータ送信システム）
【図１】
2007328106.tif 000003
【図２】
2007328106.tif 000004
【図３】
2007328106.tif 000005
【図４】
2007328106.tif 000006
【図５】
2007328106.tif 000007
【図６】
2007328106.tif 000008
【図７】
2007328106.tif 000009
【図８】
2007328106.tif 000010
【図９】
2007328106.tif 000011
【図１０】
2007328106.tif 000012
【図１１】
2007328106.tif 000013
【図１２】
2007328106.tif 000014
【図１３】
2007328106.tif 000015
【図１４】
2007328106.tif 000016
【図１５】
2007328106.tif 000017
【図１６】
2007328106.tif 000018
【図１７】
2007328106.tif 000019
【図１８】
2007328106.tif 000020
【図１９】
2007328106.tif 000021
【図２０】
2007328106.tif 000022